(57)【要約】【課題】ユーザが自宅の端末を利用して、好みに合った花束を立体的にデザインし、デザインしたものを発注することのできるオリジナル花束注文システムを提供する。【解決手段】ユーザ端末１０と花束デザインシステム２０と在庫受発注管理システム３０と受注業者端末４０と商品販売店端末５０とをインターネット１００を介して接続し、花束デザインシステム２０のデザイン表示機能２１は、アイテム分類表示機能２１１と、画像一覧表示機能２１３と、三次元画像処理機能２２とを有し、在庫受発注管理システム３０のデータベース管理機能３１は、価格、納期とから発注先を選択する発注先選択機能３３と、受注業者端末４０と選択した発注先の商品販売店端末５０とへアイテム６を発注する自動発注機能３４とを有して構成される。【選択図】      図１
2005004441.tif 000002
【特許請求の範囲】
【請求項１】
花束を注文するユーザ端末と、前記ユーザ端末に対して花束のデザインを支援する機能を有する花束デザインシステムと、磁気ディスク装置に格納される花束の第一データベースと前記第一データベースを管理するデータベース管理機能とを有する在庫受発注管理システムと、前記ユーザ端末から発注された花束のデザインを前記在庫受発注管理システムを介して受信する受注業者端末と、前記在庫受発注管理システムから花束のアイテムを受注する商品販売店端末とを有し、前記ユーザ端末と前記花束デザインシステムと前記在庫受発注管理システムと前記受注業者端末と前記商品販売店端末とを各々ネットワークを介して接続したオリジナル花束注文システムであって、前記花束デザインシステムは、デザイン表示機能と、磁気ディスク装置に格納される第二データベースと、前記第二データベースを検索するデータベース検索機能とを有し、前記デザイン表示機能は、花束の前記アイテムの種類を分類して表示するアイテム分類表示機能と、前記第二データベースの検索結果を表示する画像一覧表示機能と、デザイン作成を三次元で画像表示する三次元画像処理機能とを有し、前記データベース管理機能は、前記第一データベースから前記アイテムの在庫情報を検索し、複数の前記商品販売店端末に在庫があるとき、価格と納期とから発注先を選択する発注先選択機能と、前記受注業者端末と選択した前記商品販売店端末とへ前記アイテムを発注する自動発注機能とを有することを特徴とするオリジナル花束注文システム。
【請求項２】
前記三次元画像処理機能は、拡大・縮小機能と、回転機能とを有することを特徴とする請求項１記載のオリジナル花束注文システム。
【請求項３】
前記発注先選択機能は、前記アイテムの価格、納期を算出するアイテム価格・納期算出機能と、算出結果から前記商品販売店端末を選択する商品販売店選択機能と、算出した価格と納期とを前記ユーザ端末へ送信する価格・納期送信機能とを有することを特徴とする請求項１記載のオリジナル花束注文システム。
【請求項４】
前記アイテム価格・納期算出機能は、前記アイテムの価格と納期に対する重み係数との積を算出する機能を有し、前記商品販売店選択機能は、価格と納期に対する重み係数との積の値が最小となる前記商品販売店端末を選択する機能を有することを特徴とする請求項３記載のオリジナル花束注文システム。
【請求項５】
前記第一データベースは、前記アイテムの種類と、画像用データと、在庫情報と、価格・納期情報と、発注時の連絡先情報とを有することを特徴とする請求項１記載のオリジナル花束注文システム。
【請求項６】
受注業者は、前記受注業者端末で受信したデザインのイメージにより花束の作成を行い、販売、配送手配を行うことを特徴とする請求項１記載のオリジナル花束注文システム。
【請求項７】
花束を注文するユーザ端末と、前記ユーザ端末に対して花束のデザインを支援するデザイン表示機能を有する花束デザインシステムと、磁気ディスク装置に格納される花束の第一データベースと前記第一データベースを管理するデータベース管理機能とを有する在庫受発注管理システムと、前記ユーザ端末から発注された花束のデザインを前記在庫受発注管理システムを介して受信する受注業者端末と、前記在庫受発注管理システムから花束のアイテムを受注する商品販売店端末とをネットワークを介して接続したオリジナル花束注文方法であって、前記花束デザインシステムは、花束のデザイン画面上に花束の前記アイテムの種類を分類して表示した情報を前記ユーザ端末へ送信するステップと、前記ユーザ端末から送信される前記ユーザ端末で選択された前記アイテムを磁気ディスク装置に格納される第二データベースから検索するステップと、前記第二データベースの検索結果を画像一覧表示して前記ユーザ端末へ送信するステップと、前記ユーザ端末でデザイン作成を三次元で画像表示した花束のデザイン情報を受信するステップと、花束のデザイン情報と前記アイテムとを前記在庫受発注管理システムへ送信するステップとを有し、前記データベース管理機能は、前記第一データベースから前記アイテムの在庫情報を検索するステップと、複数の前記商品販売店端末に在庫があるとき、価格と納期とから発注先を選択するステップと、前記受注業者端末と選択した前記商品販売店端末とへ前記アイテムを自動発注するステップとを有することを特徴とするオリジナル花束注文方法。
【請求項８】
前記花束デザインシステムは、三次元で画像表示し、画像を拡大・縮小するステップと、回転させるステップとを有することを特徴とする請求項７記載のオリジナル花束注文方法。
【請求項９】
前記データベース管理機能は、前記アイテムの価格、納期を算出するステップと、算出結果から前記商品販売店端末を選択するステップと、算出した価格と納期とを前記ユーザ端末へ送信するステップとを有することを特徴とする請求項７記載のオリジナル花束注文方法。
【請求項１０】
前記アイテムの価格、納期を算出するステップは、前記アイテムの価格と納期に対する重み係数との積を算出するステップを有し、前記商品販売店端末を選択するステップは、価格と納期に対する重み係数との積が最小となる商品販売店端末を選択するステップを有することを特徴とする請求項９記載のオリジナル花束注文方法。
【請求項１１】
前記第一データベースは、前記アイテムの種類と、画像用データと、在庫情報と、価格・納期情報と、発注時の連絡先情報とを有することを特徴とする請求項７記載のオリジナル花束注文方法。
【請求項１２】
受注業者は、前記受注業者端末で受信したデザインのイメージにより花束の作成を行い、販売、配送手配を行うことを特徴とする請求項７記載のオリジナル花束注文方法。
【請求項１３】
花束を注文するユーザ端末と、前記ユーザ端末に対して花束のデザインを支援するデザイン表示機能を有する花束デザインシステムと、磁気ディスク装置に格納される花束の第一データベースと前記第一データベースを管理するデータベース管理機能とを有する在庫受発注管理システムと、前記ユーザ端末から発注された花束のデザインを前記在庫受発注管理システムを介して受信する受注業者端末と、前記在庫受発注管理システムから花束のアイテムを受注する商品販売店端末とをネットワークを介して接続したオリジナル花束注文方法であって、前記ユーザ端末は、前記ネットワークを介して前記花束デザインシステムへウェブブラウザを使用してアクセスするステップと、花束のデザイン画面が前記花束デザインシステムから送信され前記ユーザ端末上に表示されるステップと、花束のデザイン画面でデザインに使用するアイテムの種類を選択して指定するステップと、前記花束デザインシステムの第二データベースで検索した前記ユーザ端末で指定した前記アイテムを受信しデザイン画面上へ一覧表示するステップと、一覧表示された前記アイテムの中から必要なものを選択するステップと、選択した前記アイテムを三次元でデザイン画面上のデザインエリアに配置するステップと、配置したデザインの完成確認を行うステップと、完成したデザインを前記ユーザ端末から前記花束デザインシステムへ送信するステップとを有し、前記花束デザインシステムは、完成したデザインを前記ユーザ端末から受信後、完成したデザインとデザインに必要となる前記アイテムの一覧を前記在庫受注管理システムへ送信するステップを有し、前記アイテム一覧を受信した前記在庫受注管理システムは、前記第一データベースから前記アイテムの在庫状況を検索するステップと、前記アイテムの価格と納期に対する重み係数との積を算出するステップと、算出結果から価格と納期に対する重み係数との積が最小となる前記商品販売店端末を選択するステップと、花束の価格と納期とをユーザのデザインした花束イメージ画像と共に前記ユーザ端末へ送信するステップとを有し、前記ユーザ端末は、花束の価格と納期と花束イメージ画像とを受信するステップと、受信内容を確認後、発送先、到着日、代金支払方法の指定を行い発注するステップとを有し、前記ユーザ端末から発注を受けた前記在庫受注管理システムは、前記受注業者端末と前記アイテムの発注先に決定された前記商品販売店端末とへ発注要求を行うステップを有し、商品販売店は、前記商品販売店端末で受注した前記アイテムを受注業者へ配送して納入し、前記受注業者端末は、発注処理の完了と同時に前記アイテムデータおよび作成された花束のデザインイメージ画像を受信するステップを有し、受注業者は、受信したデザインイメージ画像を元に花束の作成を行い、販売、配送手配を行うことを特徴とするオリジナル花束注文方法。
【請求項１４】
コンピュータにユーザ端末で選択した花束のアイテムの種類を第二データベースから検索するデータベース検索機能、検索した花束の前記アイテムの種類を分類して表示するアイテム分類表示機能、前記第二データベースの前記アイテムの検索結果を表示する画像一覧表示機能、画像表示した前記アイテムを用いて花束のデザイン作成を三次元で画像表示する三次元画像処理機能、作成した花束のデザインに使用する前記アイテムの在庫情報を第一データベースから検索する機能、複数の商品販売店端末に在庫があるとき、価格と納期とから発注先を選択する発注先選択機能、受注業者端末と選択した前記商品販売店端末とへ前記アイテムを発注する自動発注機能とを実現させるためのプログラム。
【発明の詳細な説明】
【０００１】
【発明の属する技術分野】
本発明は、オリジナル花束注文システム、オリジナル花束注文方法、およびプログラムに関し、特に、ユーザが自宅の端末を利用して、好みに合った花束をデザインし、発注することのできるオリジナル花束注文システム、オリジナル花束注文方法、およびプログラムに関する。
【０００２】
【従来の技術】
従来のこの種の技術として、切り花の納品業者が、予め仕入れた切り花に鮮度保持処理を施しておき、この鮮度保持処理された切り花を用いて花束を調製し、さらに鮮度保持剤を添付して出荷し、宅配便業者が、切り花の温度管理をして輸送し消費者に届けることにより、消費者に開花鮮度保証を行うものがある（例えば、特許文献１参照。）。
【０００３】
また、花壇の形状と花壇内の配色データが予め記憶された設計情報データベースと、花壇を施工するために必要な材料のデータが記憶された花壇材料データベースと、設計情報データベースに記憶されているデータを参照して、花壇の形状と配色を決定することで花壇の設計を行う花壇設計手段と、設計された花壇の条件を設定する条件設定手段と、花壇材料データベースに記憶されているデータを参照して、設計された花壇を施工するのに必要な材料を選択して花壇の施工プランを作成する施工支援手段とを設け、自己の保有する端末を用いて花壇の施工を行うことができるものもある（例えば、特許文献２参照。）。
【０００４】
【特許文献１】
特開２００２ー１０４９０３号公報
【特許文献２】
特開２００２ー１１７２４３号公報
【０００５】
【発明が解決しようとする課題】
上記特許文文献１記載の技術は、消費者は、ネットワークを介して切り花納品業者が提供する切り花の商品カタログまたはパンフレットから所望の切り花を選択して注文するため、消費者自身が切り花を用いての花束の調製を行って好みに合致したものを注文することができないという課題がある。
【０００６】
特許文文献２記載の技術は、花壇設計手段により、花壇の外形形状を定義し、定義された外形形状内を各色毎に細分化処理し、細分化された領域に対して色指定して花壇内の配色を決定し、花壇を眺める方向から見た状態の斜視図として表示することにより、花壇の設計を行っているため、花壇内の花自体を立体的に合成し、任意の方向から花の完成デザインを作成、確認することができないという課題がある。
【０００７】
本発明の目的は、上記課題を解決すべく、ユーザが自宅の端末を利用して、好みに合った花束を立体的にデザインし、デザインしたものを発注することのできるオリジナル花束注文システム、オリジナル花束注文方法、およびプログラムを提供することにある。
【０００８】
【課題を解決するための手段】
本発明のオリジナル花束注文システムは、花束を注文するユーザ端末と、ユーザ端末に対して花束のデザインを支援する機能を有する花束デザインシステムと、磁気ディスク装置に格納される花束の第一データベースと第一データベースを管理するデータベース管理機能とを有する在庫受発注管理システムと、ユーザ端末から発注された花束のデザインを在庫受発注管理システムを介して受信する受注業者端末と、在庫受発注管理システムから花束のアイテムを受注する商品販売店端末とを有し、ユーザ端末と花束デザインシステムと在庫受発注管理システムと受注業者端末と商品販売店端末とを各々ネットワークを介して接続したオリジナル花束注文システムであって、花束デザインシステムは、デザイン表示機能と、磁気ディスク装置に格納される第二データベースと、第二データベースを検索するデータベース検索機能とを有し、デザイン表示機能は、花束のアイテムの種類を分類して表示するアイテム分類表示機能と、第二データベースの検索結果を表示する画像一覧表示機能と、デザイン作成を三次元で画像表示する三次元画像処理機能とを有し、データベース管理機能は、第一データベースからアイテムの在庫情報を検索し、複数の商品販売店端末に在庫があるとき、価格と納期とから発注先を選択する発注先選択機能と、受注業者端末と選択した商品販売店端末とへアイテムを発注する自動発注機能とを有することを特徴とする。
【０００９】
三次元画像処理機能は、拡大・縮小機能と、回転機能とを有することを特徴とする。
【００１０】
発注先選択機能は、アイテムの価格、納期を算出するアイテム価格・納期算出機能と、算出結果から商品販売店端末を選択する商品販売店選択機能と、算出した価格と納期とをユーザ端末へ送信する価格・納期送信機能とを有することを特徴とする。
【００１１】
アイテム価格・納期算出機能は、アイテムの価格と納期に対する重み係数との積を算出する機能を有し、商品販売店選択機能は、価格と納期に対する重み係数との積の値が最小となる商品販売店端末を選択する機能を有することを特徴とする。
【００１２】
第一データベースは、アイテムの種類と、画像用データと、在庫情報と、価格・納期情報と、発注時の連絡先情報とを有することを特徴とする。
【００１３】
受注業者は、受注業者端末で受信したデザインのイメージにより花束の作成を行い、販売、配送手配を行うことを特徴とする。
【００１４】
本発明のオリジナル花束注文方法は、花束を注文するユーザ端末と、ユーザ端末に対して花束のデザインを支援するデザイン表示機能を有する花束デザインシステムと、磁気ディスク装置に格納される花束の第一データベースと第一データベースを管理するデータベース管理機能とを有する在庫受発注管理システムと、ユーザ端末から発注された花束のデザインを在庫受発注管理システムを介して受信する受注業者端末と、在庫受発注管理システムから花束のアイテムを受注する商品販売店端末とをネットワークを介して接続したオリジナル花束注文方法であって、花束デザインシステムは、花束のデザイン画面上に花束のアイテムの種類を分類して表示した情報をユーザ端末へ送信するステップと、ユーザ端末から送信されるユーザ端末で選択されたアイテムを磁気ディスク装置に格納される第二データベースから検索するステップと、第二データベースの検索結果を画像一覧表示してユーザ端末へ送信するステップと、ユーザ端末でデザイン作成を三次元で画像表示した花束のデザイン情報を受信するステップと、花束のデザイン情報とアイテムとを在庫受発注管理システムへ送信するステップとを有し、データベース管理機能は、第一データベースからアイテムの在庫情報を検索するステップと、複数の商品販売店端末に在庫があるとき、価格と納期とから発注先を選択するステップと、受注業者端末と選択した商品販売店端末とへアイテムを自動発注するステップとを有することを特徴とする。
【００１５】
花束デザインシステムは、三次元で画像表示し、画像を拡大・縮小するステップと、回転させるステップとを有することを特徴とする。
【００１６】
データベース管理機能は、アイテムの価格、納期を算出するステップと、算出結果から商品販売店端末を選択するステップと、算出した価格と納期とをユーザ端末へ送信するステップとを有することを特徴とする。
【００１７】
アイテムの価格、納期を算出するステップは、アイテムの価格と納期に対する重み係数との積を算出するステップを有し、商品販売店端末を選択するステップは、価格と納期に対する重み係数との積が最小となる商品販売店端末を選択するステップを有することを特徴とする。
【００１８】
第一データベースは、アイテムの種類と、画像用データと、在庫情報と、価格・納期情報と、発注時の連絡先情報とを有することを特徴とする。
【００１９】
受注業者は、受注業者端末で受信したデザインのイメージにより花束の作成を行い、販売、配送手配を行うことを特徴とする。
【００２０】
本発明のオリジナル花束注文方法は、花束を注文するユーザ端末と、ユーザ端末に対して花束のデザインを支援するデザイン表示機能を有する花束デザインシステムと、磁気ディスク装置に格納される花束の第一データベースと第一データベースを管理するデータベース管理機能とを有する在庫受発注管理システムと、ユーザ端末から発注された花束のデザインを在庫受発注管理システムを介して受信する受注業者端末と、在庫受発注管理システムから花束のアイテムを受注する商品販売店端末とをネットワークを介して接続したオリジナル花束注文方法であって、ユーザ端末が、ネットワークを介して花束デザインシステムへウェブブラウザを使用してアクセスするステップと、花束のデザイン画面が花束デザインシステムから送信されユーザ端末上に表示されるステップと、花束のデザイン画面でデザインに使用するアイテムの種類を選択して指定するステップと、花束デザインシステムの第二データベースで検索したユーザ端末で指定したアイテムを受信しデザイン画面上へ一覧表示するステップと、一覧表示されたアイテムの中から必要なものを選択するステップと、選択したアイテムを三次元でデザイン画面上のデザインエリアに配置するステップと、配置したデザインの完成確認を行うステップと、完成したデザインをユーザ端末から花束デザインシステムへ送信するステップとを有し、花束デザインシステムは、完成したデザインをユーザ端末から受信後、完成したデザインとデザインに必要となるアイテムの一覧を在庫受注管理システムへ送信するステップを有し、アイテム一覧を受信した在庫受注管理システムは、第一データベースからアイテムの在庫状況を検索するステップと、アイテムの価格と納期に対する重み係数との積を算出するステップと、算出結果から価格と納期に対する重み係数との積が最小となる商品販売店端末を選択するステップと、花束の価格と納期とをユーザのデザインした花束イメージ画像と共にユーザ端末へ送信するステップとを有し、ユーザ端末は、花束の価格と納期と花束イメージ画像とを受信するステップと、受信内容を確認後、発送先、到着日、代金支払方法の指定を行い発注するステップとを有し、ユーザ端末から発注を受けた在庫受注管理システムは、受注業者端末とアイテムの発注先に決定された商品販売店端末とへ発注要求を行うステップを有し、商品販売店は、商品販売店端末で受注したアイテムを受注業者へ配送して納入し、受注業者端末は、発注処理の完了と同時にアイテムデータおよび作成された花束のデザインイメージ画像を受信するステップを有し、受注業者は、受信したデザインイメージ画像を元に花束の作成を行い、販売、配送手配を行うことを特徴とする。
【００２１】
本発明のプログラムは、コンピュータにユーザ端末で選択した花束のアイテムの種類を第二データベースから検索するデータベース検索機能、検索した花束のアイテムの種類を分類して表示するアイテム分類表示機能、第二データベースのアイテムの検索結果を表示する画像一覧表示機能、画像表示したアイテムを用いて花束のデザイン作成を三次元で画像表示する三次元画像処理機能、作成した花束のデザインに使用するアイテムの在庫情報を第一データベースから検索する機能、複数の商品販売店端末に在庫があるとき、価格と納期とから発注先を選択する発注先選択機能、受注業者端末と選択した商品販売店端末とへアイテムを発注する自動発注機能とを実現させることを特徴とする。
【００２２】
【発明の実施の形態】
次に、本発明のオリジナル花束注文システムの一実施の形態について、図面を参照して説明する。
【００２３】
図１は、本発明のオリジナル花束注文システム１の一実施の形態を示す構成ブロック図、図２は、図１中の花束デザインシステム２０を示す構成ブロック図、図３は、図１中の在庫受発注管理システム３０を示す構成ブロック図である。
【００２４】
図１〜図３を参照すると、オリジナル花束注文システム１は、花束を注文するユーザ端末１０と、ユーザ端末１０に対して花束のデザインを支援する機能を有する花束デザインシステム２０と、花束の第一データベース３２と第一データベース３２を管理するデータベース管理機能３１とを有する在庫受発注管理システム３０と、ユーザ端末１０から発注された花束のデザインを在庫受発注管理システム３０を介して受信する受注業者端末４０と、在庫受発注管理システム３０から花束のアイテムを受注する商品販売店端末５０とで構成され、ユーザ端末１０と花束デザインシステム２０と在庫受発注管理システム３０と受注業者端末４０と商品販売店端末５０とは、各々インターネット１００を介して接続され、花束デザインシステム２０は、デザイン表示機能２１と、磁気ディスク装置２５に格納される第二データベース２４と、第二データベース２４を検索するデータベース検索機能２３とを有し、デザイン表示機能２１は、第二データベース２４中の花束のアイテムの種類２４１を分類して表示するアイテム分類表示機能２１１と、第二データベース２４の検索結果を表示する画像一覧表示機能２１３と、デザイン作成を三次元で画像表示し拡大・縮小機能２２１と回転機能２２２とを有する三次元画像処理機能２２とを有し、データベース管理機能３１は、磁気ディスク装置３５に格納される第一データベース３２からアイテムの在庫情報３２３を検索し、複数の商品販売店端末５０に在庫があるとき、価格、納期とから発注先を選択する発注先選択機能３３と、受注業者端末４０と選択した発注先の商品販売店端末５０とへアイテムを発注する自動発注機能３４と、アイテムの価格、納期を算出するアイテム価格・納期算出機能３１１と、算出した価格と納期とをユーザ端末１０へ送信する価格・納期送信機能３１２とを有して構成される。
【００２５】
なお、ユーザ端末１０、受注業者端末４０、商品販売店端末５０は、各々パーソナルコンピュータ、花束デザインシステム２０、在庫受発注管理システム３０は、各々サーバコンピュータで構成される。
【００２６】
第一データベース３２は、アイテムの種類３２１と、画像用データ３２２と、在庫情報３２３と、価格・納期情報３２４と、発注時の連絡先情報３２５とを格納して構成される。
【００２７】
次に、上述のように構成されたオリジナル花束注文システム１の動作について、図面を参照して説明する。
【００２８】
図４は、オリジナル花束注文システム１の動作を説明するための図、図５は、花束のデザイン画面の一例を示す図である。
【００２９】
図４を参照すると、ユーザは、ユーザ端末１０のウェブブラウザを使用してインターネット１００を介して花束デザインシステム２０へアクセスすると（ステップ１１）、花束デザインシステム２０から花束のデザイン画面情報が送信され（ステップ２１）、ユーザ端末１０のディスプレイ（図示せず）上に表示され（ステップ１２）、花束のデザイン画面でデザインに使用するアイテムの種類を選択して指定すると（ステップ１３）、花束デザインシステム２０は、データベース検索機能２３により第二データベース２４を検索し（ステップ２２）、画像一覧表示機能２１３により検索したユーザ端末１０の指定したアイテムを抽出して表示し、アイテム分類表示機能２１１によりアイテムの種類を分類して表示した状態で送信し（ステップ２３）、ユーザ端末１０でアイテムを受信してデザイン画面上へ一覧表示する（ステップ１４）。
【００３０】
ユーザは、一覧表示されたアイテムの中から必要なものを選択し（ステップ１５）、選択したアイテムをデザイン画面上のデザインエリア２６に配置して花束のデザインを行い（ステップ１６）、配置した花束のデザインの完成結果を三次元画像処理機能２２の拡大・縮小機能２２１と回転機能２２２とを使用して確認を行い、完成したデザインを確認後、ユーザ端末１０から花束デザインシステム２０へ送信する（ステップ１７）。
【００３１】
花束デザインシステム２０は、完成したデザインをユーザ端末１０から受信し（ステップ２４）、完成したデザインとデザインに必要となるアイテムの一覧を在庫受注管理システム３０へ送信する（ステップ２５）。
【００３２】
完成したデザインとアイテム一覧とを受信した在庫受注管理システム３０は、第一データベース３２を検索してアイテムの在庫情報３２３と価格情報３２４とを抽出し（ステップ３１）、花束のデザインのアイテムの価格と納期とを算出し（ステップ３２）、算出した価格と納期とから発注先を決定し（ステップ３３）、花束の価格と納期とをユーザのデザインした花束イメージ画像と共にユーザ端末１０へ送信する（ステップ３４）。
【００３３】
ここで、発注先を決定する方法について、図面を参照して説明する。
【００３４】
図６は、ユーザのデザインした花束に使用する各アイテム６に対して、在庫を有する商品販売店の価格、納期とから商品販売店を選択する発注先選択機能３３を説明するための図、図７は、納期に対する重み係数を説明するための図である（なお、重み係数は、事前に設定しておく値である）。
【００３５】
価格をＣ、納期に対する重み係数をＥとしたとき、アイテム価格・納期算出機能３１１により、Ｃ×Ｅを演算し、商品販売店選択機能３１３により、その演算値が最も小さい商品販売店を選択する。
【００３６】
図６の例では、コスモス６１は、商品販売店（Ｂ）、ヒメツツジ６２は、商品販売店（Ｂ）、ポーシャテリア６３は、商品販売店（Ｃ）をアイテム６の発注先として選択することになる。
【００３７】
上記例では、各アイテム６毎に商品販売店を決定しているが、ユーザのデザインに使用する全アイテム６のＣ×Ｅの演算の和が最小となる商品販売店を選択して、その商品販売店に全アイテム６を発注するようにしても良い（但し、この場合は、個々のＣ×Ｅの最適値とはならないが、トータル的に最適な商品販売店を選択することになる）。
【００３８】
ユーザ端末１０は、花束の価格と納期と花束イメージ画像とを受信し、受信内容がデザインした花束と相異ないことを確認し（ステップ１８）、発送先、到着日、代金支払方法の指定を行い発注要求を行う（ステップ１９）。
【００３９】
なお、発送先、到着日、代金支払方法の指定方法は、インターネット上で一般的に行われている個人情報を識別しての商取引のケースと同一故、説明を省略する。
【００４０】
ユーザ端末１０から発注を受けた在庫受注管理システム３０は、受注業者端末４０とアイテムの発注先に決定された商品販売店端末５０とへ発注要求を通知する（ステップ３５）と共に、受注業者端末４０へは発注要求としてアイテム６のデータおよび作成された花束のデザインイメージ画像を送信する（ステップ３６）。
【００４１】
商品販売店は、商品販売店端末５０で受注した花を受注業者へ配送して納入する（ステップ５１）。
【００４２】
受注業者は、発注要求を受信し（ステップ４１）、花束を作成する花を商品販売店から受領して（ステップ４２）、受信したデザインイメージ画像を元に花束の作成を行い（ステップ４３）、ユーザへの販売、配送手配を行う（ステップ４４）。
【００４３】
【発明の効果】
以上説明したように、本発明のオリジナル花束注文システムは、店舗へ出向くことなく、自宅で、自己の好みに合致した花束を立体的にデザインし、花束の完成状態を確認し、デザインしたオリジナルな花束を注文できるという効果がある。
【００４４】
また、ユーザは、花束デザインシステムのデータベースから花のアイテムを選択できるため、花の知識が乏しく、花の名前がわからなくても、視覚的に好みのオリジナルな花束のデザインができるという効果がある。
【００４５】
さらに、在庫受発注管理システムのデータベースを検索して、アイテムの価格と納期とから商品販売店（花販売店）を決定するため、ユーザは、花束を発注するとき、価格、納期を考慮して商品販売店を探す手間が省けるという効果がある。
【図面の簡単な説明】
【図１】本発明のオリジナル花束注文システムの一実施の形態を示す構成ブロック図である。
【図２】図１中の花束デザインシステムを示す構成ブロック図である。
【図３】図１中の在庫受発注管理システムを示す構成ブロック図である。
【図４】オリジナル花束注文システムの動作を説明するための図である。
【図５】花束のデザイン画面を示す図である。
【図６】発注先選択機能を説明するための図である。
【図７】納期に対する重み係数を説明するための図である。
【符号の説明】
６    アイテム
６１    コスモス
６２    ヒメツツジ
６３    ポーシャテリア
１０    ユーザ端末
２０    花束デザインシステム
２１    デザイン表示機能
２１１    アイテム分類表示機能
２１３    画像一覧表示機能
２２    三次元画像処理機能
２２１    拡大・縮小機能
２２２    回転機能
２３    データベース検索機能
２４    第二データベース
２４１    アイテムの種類
２５    磁気ディスク装置
２６    デザインエリア
３０    在庫受発注管理システム
３１    データベース管理機能
３１１    アイテム価格・納期算出機能
３１２    価格・納期送信機能
３２    第一データベース
３２１    アイテムの種類
３２２    画像用データ
３２３    在庫情報
３２４    価格情報
３２５    連絡先情報
３３    発注先選択機能
３４    自動発注機能
３５    磁気ディスク装置
４０    受注業者端末
５０    商品販売店端末
１００    インターネット
【図１】
2005004441.tif 000003
【図２】
2005004441.tif 000004
【図３】
2005004441.tif 000005
【図４】
2005004441.tif 000006
【図５】
2005004441.tif 000007
【図６】
2005004441.tif 000008
【図７】
2005004441.tif 000009